【事件の表示】
　特許第３０９８６４４号「インクジェット捺染方法及びインクジェット捺染装置」の請求項１乃至４に係る特許に対する特許異議の申立てについて、次のとおり決定する。
【結　論】
　訂正を認める。
　特許第３０９８６４４号の請求項に係る特許を取り消す。
【理　由】
１．手続の経緯
　本件特許第３０９８６４４号の請求項１乃至４に係る発明についての手続の経緯は、以下のとおりである。
　出願　　　　　平成５年２月１９日（特許法第４１条に基づく優先権主張、優先日、平成４年２月２６日）
　拒絶理由通知　平成１２年４月２５日（発送日）
　手続補正　　　平成１２年６月１３日
　登録　　　　　平成１２年８月１１日
　特許公報発行　平成１２年１０月１６日
　異議申立　　　平成１３年４月１６日
　取消理由通知　平成１３年８月２４日（発送日）
　訂正請求　　　平成１３年１０月２２日
　審尋　　　　　平成１４年１月１１日（発送日）
　回答書　　　　平成１４年２月１２日
　　　
２．訂正の適否についての判断
（１）訂正の内容
ア．訂正事項ａ
　特許請求の範囲の、
「【請求項１】布帛と記録ヘッドを相対的に主走査させながら前記記録ヘッドのインク吐出口から前記布帛にインクを付与して前記主走査方向に画像を形成する工程と、前記布帛を副走査方向に相対的に搬送する工程とを繰り返しながら布帛に画像を形成するインクジェット捺染方法であって、
　画像データに基づき前記記録ヘッドから前記布帛上にインクを付与して画像を形成する画像形成工程と、
　前記布帛上に付与されたインクを乾燥させる乾燥工程と、
を有し、
　前記画像形成中に画像形成動作を一時的に停止する必要が生じたとき、前記主走査方向の画像形成を途中で停止せずに当該画像形成が終了するまで主走査を行い、その後、引く続く画像形成動作は行わずに前記記録ヘッドの待機位置においてインクを蒸発させないために前記インク吐出口をキャップにより覆い、
　前記画像形成動作を一時停止させる必要が解除されたときは、前記インク吐出口からインクを排出させる動作を行わせた後、前記記録ヘッドを前記待機位置から主走査させ、前記画像形成動作の停止を行ったときの画像データに引き続く画像データに基づき画像形成動作を再開することを特徴とするインクジェット捺染方法。
【請求項２】前記記録ヘッドは、熱エネルギーを利用してインク吐出口からインクを吐出するインクジェットヘッドであることを特徴とする請求項１記載のインクジェット捺染方法。
【請求項３】布帛と記録ヘッドを相対的に主走査させながら前記記録ヘッドのインク吐出口から前記布帛にインクを付与して前記主走査方向に画像を形成する工程と、前記布帛を副走査方向に相対的に搬送する工程とを繰り返しながら布帛に画像を形成するインクジェット捺染装置であって、
　画像データに基づき前記記録ヘッドから前記布帛上にインクを付与して画像を形成する画像形成手段と、
　前記布帛上に付与されたインクを乾燥させる乾燥手段と、
を有し、
　前記画像形成中に画像形成動作を一時的に停止する必要が生じたとき、前記主走査方向の画像形成を途中で停止せずに当該画像形成が終了するまで主走査を行い、その後、前記記録ヘッドの待機位置においてインクを蒸発させないために前記インク吐出口をキャップにより覆い、
　前記画像形成動作を一時停止させる必要が解除されたときは画像形成開始の信号に応じて前記インク吐出口からインクを排出させる動作を行わせた後、前記記録ヘッドを前記待機位置から主走査させ、前記画像形成動作の停止を行ったときの画像データに引き続く画像データに基づき画像形成動作を再開することを特徴とするインクジェット捺染装置。
【請求項４】前記記録ヘッドは、熱エネルギーを利用してインク吐出口からインクを吐出するインクジェットヘッドであることを特徴とする請求項３記載のインクジェット捺染方法。」
を
「【請求項１】布帛と記録ヘッドを相対的に主走査させながら前記記録ヘッドのインク吐出口から前記布帛にインクを付与して前記主走査方向に画像を形成する工程と、前記布帛を副走査方向に相対的に搬送する工程とを繰り返しながら布帛に画像を形成するインクジェット捺染方法であって、
　画像データに基づき前記記録ヘッドから前記布帛上にインクを付与して画像を形成する画像形成工程と、
　前記布帛上に付与されたインクを乾燥させる乾燥工程と、
を有し、
　前記画像形成中に
、布帛をつなぎ合わせた縫合部、およびインク切れの少なくとも１つが検知されたことに伴って
　
前記縫合部の検知に伴って前記画像形成動作の一時停止がなされた場合は、前記縫合部が前記搬送方向における記録ヘッドの下流側に位置するまで前記布帛が搬送されたことにより前記画像形成動作を一時停止させる必要が解除され、また、前記インク切れの検知に伴って前記画像形成動作の一時停止がなされた場合は、インクが補給されたことにより前記画像形成動作を一時停止させる必要が解除され、
【請求項２】前記記録ヘッドは、熱エネルギーを利用してインク吐出口からインクを吐出するインクジェットヘッドであることを特徴とする請求項１記載のインクジェット捺染方法。
【請求項３】布帛と記録ヘッドを相対的に主走査させながら前記記録ヘッドのインク吐出口から前記布帛にインクを付与して前記主走査方向に画像を形成する工程と、前記布帛を副走査方向に相対的に搬送する工程とを繰り返しながら布帛に画像を形成するインクジェット捺染装置であって、
　画像データに基づき前記記録ヘッドから前記布帛上にインクを付与して画像を形成する画像形成手段と、
　前記布帛上に付与されたインクを乾燥させる乾燥手段と、
を有し、
　前記画像形成中に
、布帛をつなぎ合わせた縫合部、およびインク切れの少なくとも１つが検知されたことに伴って
　
前記縫合部の検知に伴って前記画像形成動作の一時停止がなされた場合は、前記縫合部が前記搬送方向における記録ヘッドの下流側に位置するまで前記布帛が搬送されたことにより前記画像形成動作を一時停止させる必要が解除され、また、前記インク切れの検知に伴って前記画像形成動作の一時停止がなされた場合は、インクが補給されたことにより前記画像形成動作を一時停止させる必要が解除され、
【請求項４】前記記録ヘッドは、熱エネルギーを利用してインク吐出口からインクを吐出するインクジェットヘッドであることを特徴とする請求項３記載のインクジェット捺染方法。」
と訂正する（訂正個所にアンダーラインを付した。以下、同じ。）。
イ．訂正事項ｂ
　発明の詳細な説明における段落【０００５】の記載を、
「【問題点を解決するための手段】
　上記の問題点を解決する本発明のインクジェット捺染方法は、布帛と記録ヘッドを相対的に主走査させながら前記記録ヘッドのインク吐出口から前記布帛にインクを付与して前記主走査方向に画像を形成する工程と、前記布帛を副走査方向に相対的に搬送する工程とを繰り返しながら布帛に画像を形成するインクジェット捺染方法であって、画像データに基づき前記記録ヘッドから前記布帛上にインクを付与して画像を形成する画像形成工程と、前記布帛上に付与されたインクを乾燥させる乾燥工程と、を有し、前記画像形成中に
、布帛をつなぎ合わせた縫合部、およびインク切れの少なくとも１つが検知されたことに伴って
前記縫合部の検知に伴って前記画像形成動作の一時停止がなされた場合は、前記縫合部が前記搬送方向における記録ヘッドの下流側に位置するまで前記布帛が搬送されたことにより前記画像形成動作を一時停止させる必要が解除され、また、前記インク切れの検知に伴って前記画像形成動作の一時停止がなされた場合は、インクが補給されたことにより前記画像形成動作を一時停止させる必要が解除され、
　また本発明のインクジェット捺染装置は、布帛と記録ヘッドを相対的に主走査させながら前記記録ヘッドのインク吐出口から前記布帛にインクを付与して前記主走査方向に画像を形成する工程と、前記布帛を副走査方向に相対的に搬送する工程とを繰り返しながら布帛に画像を形成するインクジェット捺染装置であって、画像データに基づき前記記録ヘッドから前記布帛上にインクを付与して画像を形成する画像形成手段と、前記布帛上に付与されたインクを乾燥させる乾燥手段と、を有し、前記画像形成中に
、布帛をつなぎ合わせた縫合部、およびインク切れの少なくとも１つが検知されたことに伴って
前記縫合部の検知に伴って前記画像形成動作の一時停止がなされた場合は、前記縫合部が前記搬送方向における記録ヘッドの下流側に位置するまで前記布帛が搬送されたことにより前記画像形成動作を一時停止させる必要が解除され、また、前記インク切れの検知に伴って前記画像形成動作の一時停止がなされた場合は、インクが補給されたことにより前記画像形成動作を一時停止させる必要が解除され、
と訂正する。
（２）訂正の目的の適否、新規事項の有無及び拡張・変更の存否
　上記訂正事項ａに関連する記載として、願書に添付した明細書（以下、特許明細書という。）の発明の詳細な説明には、「この一時停止動作は、印字中にインク無しを検知したり、布帛をつなぎ合わせた縫合部を検知したり、といった復帰可能な異常を検出したときに行なわれる。インク無しならばインクを補給したり、縫合部があった場合ならこの縫合部がインクジェットヘッドの下流側直下に位置するまで布帛を搬送したりすることにより正常な状態に復帰したら、一時停止スイッチ１６４をＯＦＦに戻すことで印字動作が再開する。」（段落【００７４】、本件特許公報第９頁第１８欄第４５行〜第１０頁第１９欄第２行）と記載されている。
　そうすると、上記訂正事項ａは、特許明細書に記載された事項の範囲内において、特許請求の範囲の請求項１及び請求項２に記載された「画像形成動作を一時停止する必要が生じるとき」の具体的条件を規定し、また、「前記画像形成動作を維持停止させる必要が解除されるとき」の具体的条件を規定することにより、限定したものである。
　また、訂正事項ｂは、上記訂正事項ａに伴い、特許請求の範囲の記載との整合のために発明の詳細な説明の記載を訂正したものである。
　したがって、上記訂正事項ａ，ｂを含む上記訂正は、特許請求の範囲の減縮及び明瞭でない記載の釈明に該当するものであり、新規事項の追加に該当しない。
  そして、上記訂正は、実質上特許請求の範囲を拡張し、または変更するものでない。
　　　
（３）むすび
　以上のとおりであるから、上記訂正は、平成６年改正法附則第６条第１項の規定によりなお従前の例とされる、平成１１年改正前の特許法１２０条の４第３項で準用する第１２６条第１項ただし書き、第２項及び第３項の規定に適合するので、当該訂正を認める。
　　　　　
３．特許異議申し立てについての判断
（１）申立人の主張
　特許すべき旨の査定の謄本の送達前にした、平成１２年６月１３日付の手続補正は、明細書の要旨を変更するものであり、また、本件は既に登録されているから、本件に係る特許出願は、平成１２年６月１３日にしたものとみなされるから、本件請求項１乃至４に係る発明は、平成１２年６月１３日前の平成５年１２月３日に国内に頒布された甲第１号証（特開平５−３１８７２１号公報）及び、同じく、平成９年４月２８日に国内に頒布された甲第２号証（特開平９−１０９３７６号公報）に各記載されたものから、当業者が容易に発明をすることができたものである。
　　　　　
（２）本件発明
　特許第３０９８６４４号の請求項１乃至４に係る発明（以下、本件発明１乃至４という。）は、上記訂正明細書の特許請求の範囲の請求項１乃至４に記載されたとおりのものと認める（訂正事項ａを参照。）。
　　　　　
（３）引用刊行物に記載された発明
　当審で通知した取消理由に引用した刊行物１及び２の記載事項は以下のとおりである。
　ア．引用刊行物１（特開平５−３１８７２１号公報＝甲第１号証）    
　引用刊行物１は、本件の公開公報であるから、本件発明１乃至４の構成要件である「画像形成中に画像形成動作を一時的に停止する必要が生じたとき、記録ヘッドの待機位置においてインクを蒸発させないために前記インク吐出口をキャップにより覆」うこと及び「前記画像形成動作を一時停止させる必要が解除されたときは、前記インク吐出口からインクを排出させる動作を行わせた後、前記記録ヘッドを前記待機位置から主走査させ」ることを除いて、本件発明１乃至４の構成要件が記載されている。
　因みに、上記引用刊行物１には、「記録開始の信号により、インクジェットプリント部１が動作を開始する。まず、インクジェットヘッド９をキャッピングさせた状態で加圧回復動作を行なう。次に、ヘッド回復装置１３のキャッピング部をインクジェットヘッド９から離間させ、インクジェットヘッド９をホームポジションからスタートポジションへ移動させる。スタートポジションでいったん待機させた後、画像処理部３０２から送られる動作信号、画像信号に同期して、インクジェットヘッド９およびびインク供給装置１１がガイドレール７、８に沿って往復移動する（以下、これを主走査移動あるいは単に主走査と呼ぶ）。その際、画像信号に応じてインクジェットヘッド９内の各記録ヘッド１１７〜１２０から対向側に保持された布帛３６に向かってインクが吐出され、布帛３６上に画像が形成される。インクジェットヘッド９がガイドレール７、８上を１往復すると、画像幅（インクジェットヘッド９で１回に記録できる布帛３６の搬送方向の幅）分だけ布帛３６を搬送させ、次の主走査移動を行なう。以上の動作を繰り返した後、所定の画像記録が終了すると、インクジェットヘッド９はホームポジションまで移動してヘッド回復装置１３によりキャッピングがなされる。上記動作を設定された長さにわたって繰り返し行ない、ロール状の布帛３６に記録を行なう。１本のロール状の布帛３６の長さは有限であるが、ロール状に巻き取られた布帛３６の最終端が巻き芯９３よりはずれる時点で、次のロール状に巻き取られた布帛の先端部と縫合することにより、連続して記録が行なえる。この際、縫合に用いる糸に有彩色のものを用い、押圧ローラ４０の上流に濃度検出センサ９８を設けておき、この濃度検出センサ９８により前記縫合部が検出されると、その縫合部がインクジェットヘッド９の直前に搬送されてきた際に上記１サイクル（インクジェットヘッド９の１回の主走査方向への動作）の記録が終了した時点で記録を一時停止するようにしておく。さらにこの後、布帛３６を前記縫合部がインクジェットヘッド９の下流側の直後の位置に到達するまで布帛３６を一定量だけ送り、再び記録が開始されるようにしておく。このようにすることにより、一般に厚みが増大している縫合部をインクジェットヘッド９が走査記録し、この際に縫合部にインクジェットヘッド９が摺擦して、布帛３６に汚れを生じたりインクジェットヘッド９が破損したりするということを防止している。」（第９頁第１５欄３６行〜第１６欄第２７行、段落【００７０】及び段落【００７１】）と記載されている。
　イ．引用刊行物２（特開平９−１０９３７６号公報＝甲第２号証）
　引用刊行物２には、本件発明１乃至４に関連する事項として以下の事項が記載されている。
ａ．「前記一時停止指令の解除を待っているときに、前記インクジェットヘッドをキャッピングするキャッピング手段を有することを特徴とする請求項３に記載のプリント装置。」（【請求項４】）
ｂ．「前記一時停止指令が解除されたときに、前記インクジェットヘッドのインク吐出性能を回復させるための回復動作を行う回復手段を有することを特徴とする請求項３または４に記載のプリント装置。」（【請求項５】）
ｃ．「前記回復手段は、前記インクジェットヘッドのインク吐出口からインクを排出する手段を有することを特徴とする請求項５に記載のプリント装置。」（【請求項６】）
ｄ．「前記インクタンク内のインク残量が所定量以下となったことを報知する手段と、操作されることによって前記一時停止指令を出力可能な手段とを有することを特徴とする請求項３から７のいずれかに記載のプリント装置。」（【請求項８】）
　
（４）判断 
　異議申立人の上記主張について検討する。
　ア．本件発明１乃至４に係る特許出願の出願日について、
　まず、特許すべき旨の査定の謄本の送達前にした、上記平成１２年６月１３日付の手続補正が明細書の要旨を変更するものであるか否かについて検討する。
　上記補正は、特許請求の範囲の記載を補正することにより、補正書の特許請求の範囲の請求項１及び請求項３に各記載された「画像形成中に画像形成動作を一時的に停止する必要が生じたとき、記録ヘッドの待機位置においてインクを蒸発させないために前記インク吐出口をキャップにより覆」うこと及び「前記画像形成動作を一時停止させる必要が解除されたときは、前記インク吐出口からインクを排出させる動作を行わせた後、前記記録ヘッドを前記待機位置から主走査させ」ることを、本件発明１及び３の構成要件としている。
　ところで、出願当初の明細書及び図面において、インク吐出口をキャップで覆うこと、インク吐出口からインクを排出する動作、画像形成動作、該画像形成動作を一時停止させること、該一時停止動作を解除させること及びそれら相互の関連について言及されている記載事項は以下のとおりである。
ａ．「ヘッド回復装置１３は、ヘッドのインク吐出安定性を維持するためにヘッド９のホームポジション（待機位置）においてヘッド９に対向し得る位置に設けられており、矢印Ａ方向に前進後退可能であり、具体的には次に述べるような動作を行う。まず、非動作時にヘッド９のノズル内からのインクの蒸発を防ぐためにホームポジションにおいてヘッド９のキャッピングを行う（キャッピング動作）。あるいは、画像記録開始前にノズル内の気泡やゴミ等を排出するためにインクポンプを用いてヘッド内のインク流路を加圧してノズルから強制的にインクを排出するといった動作（加圧回復動作）、またはノズルからインクを強制的に吸引排出する動作（吸引回復動作）を行う際に排出されたインクを回収する、等の機能を果たす。」（段落【００１６】〜【００１７】）
ｂ．「記録開始の信号により、インクジェットプリント部１が動作を開始する。まず、インクジェットヘッド９をキャッピングさせた状態で加圧回復動作を行なう。次に、ヘッド回復装置１３のキャッピング部をインクジェットヘッド９から離間させ、インクジェットヘッド９をホームポジションからスタートポジションへ移動させる。スタートポジションでいったん待機させた後、画像処理部３０２から送られる動作信号、画像信号に同期して、インクジェットヘッド９およびびインク供給装置１１がガイドレール７、８に沿って往復移動する（以下、これを主走査移動あるいは単に主走査と呼ぶ）。その際、画像信号に応じてインクジェットヘッド９内の各記録ヘッド１１７〜１２０から対向側に保持された布帛３６に向かってインクが吐出され、布帛３６上に画像が形成される。インクジェットヘッド９がガイドレール７、８上を１往復すると、画像幅（インクジェットヘッド９で１回に記録できる布帛３６の搬送方向の幅）分だけ布帛３６を搬送させ、次の主走査移動を行なう。以上の動作を繰り返した後、所定の画像記録が終了すると、インクジェットヘッド９はホームポジションまで移動してヘッド回復装置１３によりキャッピングがなされる。上記動作を設定された長さにわたって繰り返し行ない、ロール状の布帛３６に記録を行なう。１本のロール状の布帛３６の長さは有限であるが、ロール状に巻き取られた布帛３６の最終端が巻き芯９３よりはずれる時点で、次のロール状に巻き取られた布帛の先端部と縫合することにより、連続して記録が行なえる。この際、縫合に用いる糸に有彩色のものを用い、押圧ローラ４０の上流に濃度検出センサ９８を設けておき、この濃度検出センサ９８により前記縫合部が検出されると、その縫合部がインクジェットヘッド９の直前に搬送されてきた際に上記１サイクル（インクジェットヘッド９の１回の主走査方向への動作）の記録が終了した時点で記録を一時停止するようにしておく。さらにこの後、布帛３６を前記縫合部がインクジェットヘッド９の下流側の直後の位置に到達するまで布帛３６を一定量だけ送り、再び記録が開始されるようにしておく。このようにすることにより、一般に厚みが増大している縫合部をインクジェットヘッド９が走査記録し、この際に縫合部にインクジェットヘッド９が摺擦して、布帛３６に汚れを生じたりインクジェットヘッド９が破損したりするということを防止している。」（第９頁第１５欄３６行〜第１６欄第２７行、段落【００７０】及び段落【００７１】）
ｃ．ヘッド回復装置を含んでいるインクジェットプリント部の構成を示す斜視図（図３）
ｄ．インクジェット記録部と布帛搬送部の回路構成を示すブロック図（図１２）
ｅ．布帛搬送指示信号と布帛搬送中信号相互の関係を示す図（図１３）
　上記記載事項ａ乃至ｅからは、非動作時にインク吐出口がキャップにより覆われること、画像記録開始前にインク吐出口からインクを排出する動作が行われること、記録開始の信号により画像形成動作が開始されること、主走査方向に画像を形成する工程と、布帛を副走査方向に相対的に搬送する工程とを繰り返した後、所定の画像記録が終了するとインク吐出口がキャップにより覆われること、画像形成動作は、インク無しを検知したり、布帛の縫合部を検知したときに一時停止されること及びインクを補給したり、縫合部がインクジェットヘッドの下流側直下に位置したら一時停止される必要が解除され、画像形成動作が再開されること等が記載されているといえるが、一時停止動作とインク吐出口を覆う動作相互の関係および一時停止される必要が解除され画像形成動作の再開とインク吐出口からインクを排出させることについては、記載されているといえず、また、上記記載事項ａ乃至ｅから自明な事項とすることができない。
　この点に関して、特許権者は、「出願当初明細書の段落００７０には、本件発明の装置において実行される“記録開始時の動作”と“記録停止時の動作”が説明されている。確かに、段落００７０には、“記録の再開”や“記録の一時停止”なる文言は記載されていないが、段落００７０における“記録の開始”が“記録の再開”を除外することについては一切記載されておらず、また、段落００７０における“記録の停止”が“記録の一時停止”を除外することについても一切記載されていない。とすると、“記録の再開時”や“記録の一時停止時”にも例外なく、００７０における“記録開始時の動作”と“記録停止時の動作”を適用するはずである。すなわち、“記録の再開”とは記録を開始することであるから、当然に、記録の再開時には、段落００７０に記載の“記録開始時に動作”が適用されるはずであり、同様に、“記録の一時停止”とは記録を停止することであるから、当然に、記録の一時停止時には、段落００７０に記載の“記録停止時の動作”が適用されるはずである。」（特許異議意見書第７頁第３〜１５行）と主張している。
　そこで、この主張についてみるに、
　上記出願当初明細書の記載事項ａ乃至ｅによると、インク吐出口は、所定の画像記録すなわち所定量の画像記録中は、キャップで覆われるものでなく、インク吐出口がキャップで覆われるときは、所定量の画像記録が終了するときであり、また、記録が一時停止されるのは、インク無しを検知したり、布帛の縫合部を検知したときで、通常、所定量の画像記録が終了する前の画像記録の途中であることが明らかであるから、記録の一時停止時には、むしろ、インク吐出口がキャップで覆われないとみるのが自然のように思われる。
　してみると、“記録の開始”が“記録の再開”を除外すること及び“記録の停止”が“記録の一時停止”を除外することについて出願当初の明細書に一切記載されていないことから、「“記録の再開時”や“記録の一時停止時”にも例外なく、００７０における“記録開始時の動作”と“記録停止時の動作”を適用するはずである。すなわち、“記録の再開”とは記録を開始することであるから、当然に、記録の再開時には、段落００７０に記載の“記録開始時に動作”が適用されるはずであり、同様に、“記録の一時停止”とは記録を停止することであるから、当然に、記録の一時停止時には、段落００７０に記載の“記録停止時の動作”が適用されるはずである。」とすることができず、当該主張は採用することができない。
　したがって、特許すべき旨の査定の謄本の送達前にした、上記手続補正は、明細書の要旨を変更するものである。
　ところで、本件は既に登録されているから、特許法第４０条の規定により、本件に係る特許出願は、平成１２年６月１３日にしたものとみなされる。
　イ．本件発明１乃至４と上記引用刊行物１及び２との対比・判断
　上述したように、引用刊行物１は、本件の公開公報であるから、本件発明１乃至４の構成要件である「画像形成中に画像形成動作を一時的に停止する必要が生じたとき、記録ヘッドの待機位置においてインクを蒸発させないために前記インク吐出口をキャップにより覆」うこと及び「前記画像形成動作を一時停止させる必要が解除されたときは、前記インク吐出口からインクを排出させる動作を行わせた後、前記記録ヘッドを前記待機位置から主走査させ」ることを除いて、本件発明１乃至４の構成要件が記載されている。
　また、上記引用刊行物２には、本件発明１乃至４の構成要件である「画像形成中に画像形成動作を一時的に停止する必要が生じたとき、記録ヘッドの待機位置においてインクを蒸発させないために前記インク吐出口をキャップにより覆」うこと及び「前記画像形成動作を一時停止させる必要が解除されたときは、前記インク吐出口からインクを排出させる動作を行わせた後、前記記録ヘッドを前記待機位置から主走査させ」ることが記載されている。
　ゆえに、本件発明１乃至４は、本件出願日（平成１２年６月１３日）前に、上記引用刊行物１に記載されたものにおいて、同一技術分野に属する上記引用刊行物２に記載されたものを、単に、適用することにより、当業者が容易に発明をすることができたものである。
　
（５）むすび
　以上のとおりであるから、本件請求項１乃至４に係る発明は、特許法第２９条第２項の規定により特許を受けることができない。  
　したがって、本件請求項１乃至４に係る発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年４月３日（２００２．４．３）
【訂正の要旨】
　訂正の要旨
ア．訂正事項ａ
　特許請求の範囲を
「【請求項１】布帛と記録ヘッドを相対的に主走査させながら前記記録ヘッドのインク吐出口から前記布帛にインクを付与して前記主走査方向に画像を形成する工程と、前記布帛を副走査方向に相対的に搬送する工程とを繰り返しながら布帛に画像を形成するインクジェット捺染方法であって、
　画像データに基づき前記記録ヘッドから前記布帛上にインクを付与して画像を形成する画像形成工程と、
　前記布帛上に付与されたインクを乾燥させる乾燥工程と、
を有し、
　前記画像形成中に
、布帛をつなぎ合わせた縫合部、およびインク切れの少なくとも１つが検知されたことに伴って
　
前記縫合部の検知に伴って前記画像形成動作の一時停止がなされた場合は、前記縫合部が前記搬送方向における記録ヘッドの下流側に位置するまで前記布帛が搬送されたことにより前記画像形成動作を一時停止させる必要が解除され、また、前記インク切れの検知に伴って前記画像形成動作の一時停止がなされた場合は、インクが補給されたことにより前記画像形成動作を一時停止させる必要が解除され、
　【請求項２】前記記録ヘッドは、熱エネルギーを利用してインク吐出口からインクを吐出するインクジェットヘッドであることを特徴とする請求項１記載のインクジェット捺染方法。
　【請求項３】布帛と記録ヘッドを相対的に主走査させながら前記記録ヘッドのインク吐出口から前記布帛にインクを付与して前記主走査方向に画像を形成する工程と、前記布帛を副走査方向に相対的に搬送する工程とを繰り返しながら布帛に画像を形成するインクジェット捺染装置であって、
　画像データに基づき前記記録ヘッドから前記布帛上にインクを付与して画像を形成する画像形成手段と、
　前記布帛上に付与されたインクを乾燥させる乾燥手段と、
を有し、
　前記画像形成中に
、布帛をつなぎ合わせた縫合部、およびインク切れの少なくとも１つが検知されたことに伴って
　
前記縫合部の検知に伴って前記画像形成動作の一時停止がなされた場合は、前記縫合部が前記搬送方向における記録ヘッドの下流側に位置するまで前記布帛が搬送されたことにより前記画像形成動作を一時停止させる必要が解除され、また、前記インク切れの検知に伴って前記画像形成動作の一時停止がなされた場合は、インクが補給されたことにより前記画像形成動作を一時停止させる必要が解除され、
　【請求項４】前記記録ヘッドは、熱エネルギーを利用してインク吐出口からインクを吐出するインクジェットヘッドであることを特徴とする請求項３記載のインクジェット捺染方法。」
と訂正する（訂正個所にアンダーラインを付した。以下、同じ。）。
イ．訂正事項ｂ
　発明の詳細な説明における段落【０００５】の記載を、
「【問題点を解決するための手段】
　上記の問題点を解決する本発明のインクジェット捺染方法は、布帛と記録ヘッドを相対的に主走査させながら前記記録ヘッドのインク吐出口から前記布帛にインクを付与して前記主走査方向に画像を形成する工程と、前記布帛を副走査方向に相対的に搬送する工程とを繰り返しながら布帛に画像を形成するインクジェット捺染方法であって、画像データに基づき前記記録ヘッドから前記布帛上にインクを付与して画像を形成する画像形成工程と、前記布帛上に付与されたインクを乾燥させる乾燥工程と、を有し、前記画像形成中に
、布帛をつなぎ合わせた縫合部、およびインク切れの少なくとも１つが検知されたことに伴って
前記縫合部の検知に伴って前記画像形成動作の一時停止がなされた場合は、前記縫合部が前記搬送方向における記録ヘッドの下流側に位置するまで前記布帛が搬送されたことにより前記画像形成動作を一時停止させる必要が解除され、また、前記インク切れの検知に伴って前記画像形成動作の一時停止がなされた場合は、インクが補給されたことにより前記画像形成動作を一時停止させる必要が解除され、
　また本発明のインクジェット捺染装置は、布帛と記録ヘッドを相対的に主走査させながら前記記録ヘッドのインク吐出口から前記布帛にインクを付与して前記主走査方向に画像を形成する工程と、前記布帛を副走査方向に相対的に搬送する工程とを繰り返しながら布帛に画像を形成するインクジェット捺染装置であって、画像データに基づき前記記録ヘッドから前記布帛上にインクを付与して画像を形成する画像形成手段と、前記布帛上に付与されたインクを乾燥させる乾燥手段と、を有し、前記画像形成中に
、布帛をつなぎ合わせた縫合部、およびインク切れの少なくとも１つが検知されたことに伴って
前記縫合部の検知に伴って前記画像形成動作の一時停止がなされた場合は、前記縫合部が前記搬送方向における記録ヘッドの下流側に位置するまで前記布帛が搬送されたことにより前記画像形成動作を一時停止させる必要が解除され、また、前記インク切れの検知に伴って前記画像形成動作の一時停止がなされた場合は、インクが補給されたことにより前記画像形成動作を一時停止させる必要が解除され、
と訂正する。
（５４）【発明の名称】
インクジェット捺染方法及びインクジェット捺染装置
（５７）【特許請求の範囲】
　【請求項１】　布帛と記録ヘッドを相対的に主走査させながら前記記録ヘッドのインク吐出口から前記布帛にインクを付与して前記主走査方向に画像を形成する工程と、前記布帛を副走査方向に相対的に搬送する工程とを繰り返しながら布帛に画像を形成するインクジェット捺染方法であって、
　画像データに基づき前記記録ヘッドから前記布帛上にインクを付与して画像を形成する画像形成工程と、
　前記布帛上に付与されたインクを乾燥させる乾燥工程と、
を有し、
　前記画像形成中に
、布帛をつなぎ合わせた縫合部、およびインク切れの少なくとも１つが検知されたことに伴って
　
前記縫合部の検知に伴って前記画像形成動作の一時停止がなされた場合は、前記縫合部が前記搬送方向における記録ヘッドの下流側に位置するまで前記布帛が搬送されたことにより前記画像形成動作を一時停止させる必要が解除され、また、前記インク切れの検知に伴って前記画像形成動作の一時停止がなされた場合は、インクが補給されたことにより前記画像形成動作を一時停止させる必要が解除され、
　前記画像形成動作を一時停止させる必要が解除されたときは、前記インク吐出口からインクを排出させる動作を行わせた後、前記記録ヘッドを前記待機位置から主走査させ、前記画像形成動作の停止を行ったときの画像データに引き続く画像データに基づき画像形成動作を再開することを特徴とするインクジェット捺染方法。
　【請求項２】　前記記録ヘッドは、熱エネルギーを利用してインク吐出口からインクを吐出するインクジェットヘッドであることを特徴とする請求項１記載のインクジェット捺染方法。
　【請求項３】　布帛と記録ヘッドを相対的に主走査させながら前記記録ヘッドのインク吐出口から前記布帛にインクを付与して前記主走査方向に画像を形成する工程と、前記布帛を副走査方向に相対的に搬送する工程とを繰り返しながら布帛に画像を形成するインクジェット捺染装置であって、
　画像データに基づき前記記録ヘッドから前記布帛上にインクを付与して画像を形成する画像形成手段と、
　前記布帛上に付与されたインクを乾燥させる乾燥手段と、
を有し、
　前記画像形成中に
、布帛をつなぎ合わせた縫合部、およびインク切れの少なくとも１つが検知されたことに伴って
　
前記縫合部の検知に伴って前記画像形成動作の一時停止がなされた場合は、前記縫合部が前記搬送方向における記録ヘッドの下流側に位置するまで前記布帛が搬送されたことにより前記画像形成動作を一時停止させる必要が解除され、また、前記インク切れの検知に伴って前記画像形成動作の一時停止がなされた場合は、インクが補給されたことにより前記画像形成動作を一時停止させる必要が解除され、
　前記画像形成動作を一時停止させる必要が解除されたときは
、
　【請求項４】　前記記録ヘッドは、熱エネルギーを利用してインク吐出口からインクを吐出するインクジェットヘッドであることを特徴とする請求項３記載のインクジェット捺染方法。
【発明の詳細な説明】
　【０００１】
　【産業上の利用分野】
　本発明は、記録媒体に対してインクを吐出して記録を行なうインクジェット記録方法に関する。
　【０００２】
　【従来の技術】
　布帛や壁紙などに対して記録を行なう方法の代表的なものとして、シルクスクリーン版を用いて布帛などに直接印刷を行なうスクリーン捺染方法がある。この方法では、まず、印刷すべき原画像に対しその原画像に使われている色ごとにシルクスクリーン版を作成し、このシルクスクリーン版をスクリーン捺染装置に装着し、シルクスクリーン版の網目を通してインクを布帛などに直接転写することによって記録が行なわれる。
　【０００３】
　【発明が解決しようとする問題点】
　上述したスクリーン捺染方法では、予めシルクスクリーン版を作成するのに当たり多大な工数と日数を要するほか、各色のインクの調合、各色ごとのシルクスクリーン版の位置合わせなどの作業も要するという問題点がある。さらに、装置が大きく、使用する色の数に比例して大型化し設置スペースを要するほか、シルクスクリーン版の保存スペースも必要であるという問題点がある。
　【０００４】
　本発明の目的は、スクリーン版の作成や色ごとのインクの調合を必要とせず、かつ装置を小型化できる記録方法を提供することになる。
　【０００５】
　【問題点を解決するための手段】
　上記の問題点を解決する本発明のインクジェット捺染方法は、布帛と記録ヘッドを相対的に主走査させながら前記記録ヘッドのインク吐出口から前記布帛にインクを付与して前記主走査方向に画像を形成する工程と、前記布帛を副走査方向に相対的に搬送する工程とを繰り返しながら布帛に画像を形成するインクジェット捺染方法であって、画像データに基づき前記記録ヘッドから前記布帛上にインクを付与して画像を形成する画像形成工程と、前記布帛上に付与されたインクを乾燥させる乾燥工程と、を有し、前記画像形成中に
、布帛をつなぎ合わせた縫合部、およびインク切れの少なくとも１つが検知されたことに伴って
前記縫合部の検知に伴って前記画像形成動作の一時停止がなされた場合は、前記縫合部が前記搬送方向における記録ヘッドの下流側に位置するまで前記布帛が搬送されたことにより前記画像形成動作を一時停止させる必要が解除され、また、前記インク切れの検知に伴って前記画像形成動作の一時停止がなされた場合は、インクが補給されたことにより前記画像形成動作を一時停止させる必要が解除され、
　また本発明のインクジェット捺染装置は、布帛と記録ヘッドを相対的に主走査させながら前記記録ヘッドのインク吐出口から前記布帛にインクを付与して前記主走査方向に画像を形成する工程と、前記布帛を副走査方向に相対的に搬送する工程とを繰り返しながら布帛に画像を形成するインクジェット捺染装置であって、画像データに基づき前記記録ヘッドから前記布帛上にインクを付与して画像を形成する画像形成手段と、前記布帛上に付与されたインクを乾燥させる乾燥手段と、を有し、前記画像形成中に
、布帛をつなぎ合わせた縫合部、およびインク切れの少なくとも１つが検知されたことに伴って
前記縫合部の検知に伴って前記画像形成動作の一時停止がなされた場合は、前記縫合部が前記搬送方向における記録ヘッドの下流側に位置するまで前記布帛が搬送されたことにより前記画像形成動作を一時停止させる必要が解除され、また、前記インク切れの検知に伴って前記画像形成動作の一時停止がなされた場合は、インクが補給されたことにより前記画像形成動作を一時停止させる必要が解除され、
、
　【０００６】
　なお、本明細書において、「記録」とは「捺染」の意味を含むものであり、広く布帛や紙などの記録媒体に画像を付与することをいう。
　【０００７】
　【作用】
　インクジェット記録を用いて、直接、布帛上に画像形成を行なうので、従来のスクリーン捺染では必要であったスクリーン版を必要とせず、布帛に印刷するまでの工程、日数が大幅に短縮できるほか、装置の小型化もできる。当然のことではあるが、印刷のための画像情報も、テープ、フレキシブルディスク、光ディスクなどの媒体に保存でき、そのため画像情報の保管性、保存性についてもすぐれている。さらに、原画像に対する配色変え、レイアウト変更、拡大・縮小等の加工が容易に行なえる。
　【０００８】
　本発明のインクジェット記録方法は、システムとして構成された記録装置を使用することによりさらに有効性を増すものであって、例えば、原画像を読み取って画像信号に変換する画像読み取り装置を記録装置に接続することが可能である。また、本発明において記録装置は、外部のコンピュータと通信して画像データを交換することにより、さまざまな画像を布帛上に記録することが可能となる。
　本発明のインクジェット記録方法で使用される記録装置には、記録媒体を記録ヘッドに対向する位置にまで搬送する搬送部を設けることができる。この場合、メンテナンスなどを容易に行なえるようにするため、記録ヘッドが搬送部に対向しかつ搬送部から離隔可能に設けられるようにするとよい。さらに、インク切れや記録媒体の相互接続部などに対応するため、画像記録を一時停止させ、一時停止が解除される際にはこの一時停止を行なう直前の画像データに引き続く画像データから画像記録を再開させる制御手段をさらに設けるとよい。
　【０００９】
　本発明において使用される記録ヘッドとしては、微小のインクを飛翔させて記録を行なうものであれば限定されるものではないが、特に、インク吐出用の熱エネルギーを発生するための熱エネルギー変換体を備えているものを用いることによって、優れた効果を得ることができる。この場合、熱エネルギー変換体として電気熱変換体を使用し、電気熱変換体によって印加される熱エネルギーにより、インクに生ずる膜沸騰を利用して吐出口よりインクを記録媒体に向けて吐出・飛翔させるものであるようにするとよい。
　【００１０】
　【実施例】
　次に本発明の実施例について図面を参照して説明する。図１は本発明のインクジェット記録方法の実施に使用されるインクジェット記録装置の基本構成を示すブロック図であり、図２は本発明に特に好ましい画像記録部３０３の概要を示す模式図である。このインクジェット記録装置は、システムとして構成され、大別して、デザイナー等が作成した原画を読み取りこの原画像を電気信号で表される原画データに変換する画像読み取り装置３０１、画像読み取り装置３０１からの原画データを取り込んで加工してイメージデータとして出力する画像処理部３０２、画像処理部３０２で作成されたイメージデータに基づき、布帛等の記録媒体上に記録を行う画像記録部３０３とからなっている。画像読み取り装置３０１では、ＣＣＤイメージセンサにより原画像を読み取られる。画像処理部３０２では、入力された原画データから、後述するマゼンタ（略号Ｍ）、シアン（略号Ｃ）、イエロー（略号Ｙ）、ブラック（略号Ｂｋ）の４色のインクを吐出するインクジェット記録部Ａ−２（図２）を駆動するためにデータを作成する。データの作成の際には、原画像をインクのドットで再現するための画像処理、色調を決定する配色、レイアウトの変更、拡大、縮小等の図柄の大きさの加工、選択がなされる。画像記録部３では、インクジェット記録部Ａ−２により記録が行われる。インクジェット記録部Ａ−２は、微小のインク滴を記録媒体に向けて飛翔させ、このインク滴を記録媒体に付着させることにより記録を行うものである。
　【００１１】
　図３は、本発明において使用されるインクジェット記録装置のプリント部１を示す斜視図である。
　【００１２】
　このインクジェットプリント部１は大別して、フレーム枠６、２本のガイドレール７及び８、インクジェットヘッド９とその移動用キャリッジ１０、インク供給装置１１とその移動用キャリッジ１２、ヘッド回復装置１３および電装系５とを備えて構成される。インクジェットヘッド９（以下、単にヘッドと呼ぶ）は、複数のノズル列と電気信号をインク吐出エネルギーに変換するための変換装置とを含み、画像処理部３０２から送られてきた画像信号に応じてノズル列から選択的にインクを吐出させる機構をもつ。
　【００１３】
　前記ヘッド９としては、熱エネルギーを利用してインクを吐出する記録ヘッドであって、インクに与える熱エネルギーを発生するための熱エネルギー変換体を備えており、前記熱エネルギー変換体によって印加される熱エネルギーよりインクに状態変化を生起させ、該状態変化に基づいて吐出口よりインクを吐出させるヘッドが好ましく使用される。
　【００１４】
　インク供給装置１１は、インクを貯留し、ヘッドにインクを必要量供給するためのものであり、不図示のインクタンクやインクポンプ等を有する。本体とヘッド９とはインク供給用のチューブ４で接続され、通常は毛細管作用によりヘッドから吐出される分だけ自動的にヘッド９に供給される。また、後述するようなヘッド回復動作のときには、インクポンプを用いて強制的にインクがヘッド９に供給される。
　【００１５】
　上記ヘッド９及びインク供給装置１１はそれぞれキャリッジ１０、キャリッジ１２に搭載され、不図示の駆動装置によりガイドレール７，８に沿って往復移動を行うように構成されている。
　【００１６】
　ヘッド回復装置１３は、ヘッドのインク吐出安定性を維持するためにヘッド９のホームポジション（待機位置）においてヘッド９に対向し得る位置に設けられており、矢印Ａ方向に前進後退可能であり、具体的には次に述べるような動作を行う。
　【００１７】
　まず、非動作時にヘッド９のノズル内からのインクの蒸発を防ぐためにホームポジションにおいてヘッド９のキャッピングを行う（キャッピング動作）。あるいは、画像記録開始前にノズル内の気泡やゴミ等を排出するためにインクポンプを用いてヘッド内のインク流路を加圧してノズルから強制的にインクを排出するといった動作（加圧回復動作）、またはノズルからインクを強制的に吸引排出する動作（吸引回復動作）を行う際に排出されたインクを回収する、等の機能を果たす。
　【００１８】
　電装系５は、電源部及びインクジェット記録部全体のシーケンス制御を行うための制御部を含む。布帛３６はヘッド９がガイドレールに沿って主走査方向に移動して所定長の記録が行われる毎に不図示の搬送装置により副走査方向（矢印Ｂ方向）に所定量搬送され、画像形成が行われていく。図中、斜線部３６’は記録が終了した部分（記録済部分）を示す。
　【００１９】
　以上、インクジェットプリント部１の構成について説明したが、このインクジェットプリント部１は、図４に示すように、後述する本体部Ａの枠体９１、９２上にレール（図示せず）を介して支持されており、固定手段（図示せず）を解除することにより、ベルト３７より離れる方向に移動できるようになっている。このため、本体部Ａのベルト３７とインクジェットプリント部１との間に作業スペースが確保され、異常発生時などに、ベルト３７上の布帛３６の扱いが容易に行なえる。また、図４に示すように、インクジェットヘッド９のキャップ位置は枠体９１の外側に位置し、操作者はインクジェットヘッド９のメンテナンスやインクの補給が容易に行なえるようになっている。
　【００２０】
　なお、インクジェットヘッド９としては、単色記録用のインクジェット記録ヘッド、カラー記録用の異なる色のインクで記録する複数個の記録ヘッド、あるいは同一色彩で濃度の異なる濃淡インクで記録する複数の記録ヘッド等を用いることができる。
　【００２１】
　また、記録ヘッドとインクタンクを一体化したカートリッジタイプのもの、あるいは記録ヘッドとインクタンクを別体としこれらをインク供給チューブで接続する構成のもの等、記録手段及びインクタンクの構成を問わず適用することができる。
　【００２２】
　さらに、以下の態様の記録装置において本発明を実施することにより、吸水性が極めて低い記録媒体においても高品質な画像を得ることができる。
　【００２３】
　次に、図２を用いて画像記録部３０３をさらに詳細に説明する。この画像記録部３０３すなわち記録装置は、大きく分けて、捺染用の前処理を施されたロール状の布帛等の記録媒体を送り出す給布部Ｂと、送られてきた布帛を精密に行送りして、インクジェットヘッドでプリントを行う本体部Ａと、プリントされた布帛を乾燥させ巻取る巻取り部Ｃからなる。そして、本体部Ａはさらにプラテンを含む布帛の精密送り部Ａ−１とインクジェット記録部Ａ−２とからなる。
　【００２４】
　以下、記録媒体として前処理された布帛を用い捺染を実施する場合を例にとってこの装置の動作を説明する。
　【００２５】
　前処理されたロール状の布帛３６は給布部Ｂから送り出され、本体部Ａに送られる。本体部Ａには精密にステップ駆動される薄い無端のベルト３７が駆動ローラ４７、巻回ローラ４９に架け回されている。駆動ローラ４７は、高分解能のステッピングモータ（図示せず）でダイレクトにステップ駆動されてそのステップ量だけベル３７トをステップ送りする。送られてきた布帛３６は巻回ローラ４９によってバックアップされたベルト３７表面に、押付けローラ４０によって押付けられ、張付けられる。
　【００２６】
　ベルト３７によってステップ送りをされてきた布帛３６は、第１のプリント部３１において、ベルト背面のプラテン３２によって定位され表側からインクジェットヘッド９によってプリントされる。１行のプリントが終る毎に、所定量ステップ送りされ、次いでベルト背面からの加熱プレート３４による加熱と、温風ダクト３５によって供給／排出される、表面からの温風によって乾燥される。続いて第２のプリント部３１′において、第１のプリント部３１と同様な方法で重ねプリントがなされる。
　【００２７】
　プリントが終った布帛３６は引き剥されて前述の加熱プレートと温風ダクトと同様な後乾燥部４６で再度乾燥され、ガイドロール４１に導かれて巻取りロール４８に巻取られる。そして、巻取られた布帛は本装置から取外され、バッチ処理で発色、洗浄、乾燥等の後処理工程を経て製品となる。
　【００２８】
　次にインクジェット記録部Ａ−２付近の詳細について図５により説明する。
　【００２９】
　ここでの好ましい態様は、第１プリント部のヘッドにより、ドット数を間引いて情報を記録し、乾燥工程を経て、第２プリント部のヘッドにより、第１プリント部で間引かれた情報を補完するようにインク滴を吐出するものである。
　【００３０】
　図５において、記録媒体である布帛３６は、ベルトに張り付けられて図中、上方向にステップ送りされるようになっている。図中下方の第１のプリント部３１にはＹ，Ｍ，Ｃ，Ｂｋのほか、特色Ｓ１〜Ｓ４用のインクジェットヘッド８本を搭載した第１のキャリッジ４４がある。本例におけるインクジェットヘッド（記録ヘッド）は、インクを吐出するために利用されるエネルギーとして、インクに膜沸騰を生じさせる熱エネルギーを発生する素子を有するものを用いてあり、また４００ｄｐｉ（ドット／インチ）の密度で１２８の吐出口を配列したものを用いている。
　【００３１】
　第１のプリント部３１の下流側にはベルトの背面から加熱する加熱プレート３４と、表側から乾燥させる温風ダクト３５とからなる乾燥部４５が設けられている。加熱プレート３４の熱伝達面は、強くテンションをかけられたベルト３７に押し当てられ、中空になっている内側に通してある高温高圧の蒸気によって、ベルト３７を背面から強力に加熱する。ベルト３７は、貼り付けられている布帛３６を熱伝導によって直接に効果的に加熱する。加熱プレート面の内側は集熱のためのフィン３４′が設けられていて熱を効率的にベルト背面に集中できるようにしてある。ベルトに接しない側は断熱材４３でカバーしてあり、放熱による損失を防いでいる。
　【００３２】
　表側では、下流側の供給ダクト３０から乾燥温風を吹き付けることによって、乾燥しつつある布帛３６に、より湿度の低い空気を当てて効果を高めるようにしている。そして布帛３６の搬送方向とは逆に流れて充分に水分を含んだ空気は、上流側の吸引ダクト３３から、吹き付けの量よりもはるかに多量の吸引をすることによって、蒸発水分が漏れて周囲の機械装置に結露しないようにしてある。温風の供給源は図４の奥側にあり、吸引は手前側から行うようになっていて、布帛３６に対向している吹き出し口３８と吸引口３９との圧力差が長手方向全域にわたって均一になるようにしてある。空気の吹き付け／吸引部は背面の加熱プレートの中心に対して下流側にオフセットされており、充分に加熱された所に空気が当たるようにしてある。これらによって第１のプリント部３１が布帛３６が受容した薄め液も含むインク中の多量の水分を強力に乾燥させる。
　【００３３】
　その下流（上方）には第２のプリント部３１′があり、第１のキャリッジと同様の構成の第２のキャッリジ４４′で第２のプリント部を形成している。
　【００３４】
　次に、画像読み取り装置３０１について説明する。図６は、画像読み取り装置３０１の構成を示す平面図である。この画像読み取り装置３０１は、いわゆるイメージスキャナと呼ばれるものの一種であり、ＣＣＤユニット１８により原画像を電気信号（原画データ）に変換するものである。
　【００３５】
　ＣＣＤユニット１８は、ＣＣＤ１６、ＣＣＤ１６に結像するレンズ１５などにより構成されるユニットであり、主方向レール５４上を自由に移動できるようになっている。主方向レール５４の一端にはプーリ５１とこのプーリ５１に接続された主走査モータ５０が取り付けられている。主方向レール５４の他端にはもう１つのプーリ５２が設けられ、両方のプーリ５１，５２に懸けわたされＣＣＤユニット１８に接続されたワイヤ５３が設けられている。これら主走査モータ５０、プーリ５１，５２、ワイヤ５３は主走査方向の駆動系を構成し、この駆動系でＣＣＤユニット１８を駆動することにより、ＣＣＤユニット１８が主方向レール５４上の任意の位置に移動できるようになっている。
　【００３６】
　主方向レール５４の両端は、主方向レール５４に対して直角に設けられた２本の副方向レール６５，６９に摺動自在に取り付けられている。２本の副方向レール６５，６９は、相互に平行で同じ長さであり、この副方向レール６５，６９で挟まれた領域が読み取りエリア７７となる。各副方向レール６５，６９の一端にはそれぞれプーリ７６，６８が設けられ、各副方向レール６５，６９の他端にはそれぞれプーリ６７，７１が設けられている。そして、副方向レール６５，６９ごとに、両端のプーリ７６，６７，６８，７１を懸けわたすワイヤ６６，７０がそれぞれ設けられ、各ワイヤ６６，７０はそれぞれ主方向レール５４の両端に接続されている。各副方向レール６５，６９の一端側のプーリ７６，６８は、ともに一方の軸７２に固着され、他端側のプーリ６７，７１は、ともに他方の軸７３に固着されている。これら２本の軸７２，７３は相互に平行かつ主方向レール５４に対して平行であり、それぞれ回転可能である。一方の軸７２の端部には、副走査モータ６０が取り付けられている。これら軸７２，７３、副方向レール６５，６７、プーリ７６，６７，６８，７１、副走査モータ６０は、副走査方向の駆動系を構成し、副走査モータ６０を駆動することにより、主方向レール５４が副方向レール６５，６９の延びる方向に移動できるようになっている。
　【００３７】
　読み取りエリア７７のほぼ全面に原稿台ガラス１７が設けられており、この原稿台ガラス１７はＣＣＤユニット１８と対向している。また、読み取りエリア７７の端部は、補正エリア７８となっている。
　【００３８】
　このように構成することにより、この画像読み取り装置３０１では、主走査モータ５０と副走査モータ６０とを駆動することによって、読み取りエリア７７の任意の位置にＣＣＤユニット１８を移動させることが可能となる。この場合、読み取りエリア７７のホームポジション（読み取り時の座標の原点となるべき位置）にＣＣＤユニットが来たことを検出するため、主方向レール５４の他端側と、一方の副方向レール６５の他端側に、それぞれホームポジションセンサ５６，５８が設けられている。図６に示した例では、ホームポジションは補正エリア７８に対応して設けられている。
　【００３９】
　次に、この画像読み取り装置３０１の画像読み取り動作について、図７を用いて説明する。
　【００４０】
　原稿の読み取り動作は、まず、補正エリア７８の中にあるホームポジションＨＰにＣＣＤユニット１８を移動し、ここから原稿台ガラス１７に置かれた原稿全面の読み取り動作を開始する。
　【００４１】
　原稿の走査に先だって補正エリア７８で、シェーディング補正、黒レベルの補正、色補正などの処理に必要なデータ設定を行なう。その後、図示の矢印の方向に主走査モータ５０によりＣＣＤユニット１８の主走査方向（図示横方向）の走査を開始する。図示▲１▼で示した第１のエリアの読み取り動作が終了したら、主走査モータ５０を逆転させるとともに、副走査モータ６０を駆動し、図示▲１▼のエリアに隣接する図示▲２▼のエリアの補正エリア７８に副走査方向の移動を行なう。続いて、▲１▼のエリア場合と同様に、必要に応じてシェーディング補正、黒レベルの補正、色補正等の処理を行ない、主走査方向にＣＣＤユニット１８を移動させつつ原稿の読み取りを行なう。
　【００４２】
　以上の走査を繰り返すことにより、図７に示した例では▲１▼から▲７▼のエリアのエリア全面の読み取り動作を行ない、最後のエリアである▲７▼のエリアの読み取り動作を終えた後、再びＣＣＤユニット１８をホームポジションＨＰに戻す。一般的な原稿の大きさと、ＣＣＤユニット１８が１回に読み取れる幅との関係から、本実施例において実際にはもっと多くの回数の走査を行わなければならないが、本説明では動作を理解しやすくするために簡略化している。
　【００４３】
　以上説明した読み取り動作が等倍の読み取り動作であるとすると、ＣＣＤユニット１８が１回の読み取り動作で読み取れるエリアは、図７に示すように実際には、実際に読み取るエリアよりも広いエリアである。これは、この画像読み取り装置３０１が拡大、縮小の変倍機能を内蔵しているためである。例えば、インクジェットヘッド９で記録できる領域が１回に２５６ドットであるとすると、５０％の縮小動作を行なう場合には、最低、２５６ドットの２倍の５１２ドットの領域の画像情報が必要となるからである。したがって、画像読み取り装置３０１は、１回の主走査方向の読み取りで任意の画像領域の画像情報を読み取り、出力する機能を内蔵している。
　【００４４】
　次に、画像処理部３０２の構成について、図８を用いて説明する。画像処理部３０２は、画像読み取り装置３０１および画像記録部３０３のそれぞれの制御系と一体的に作動するので、ここでは、これら画像読み取り装置３０１および画像記録部３０３の制御系についても説明する。
　【００４５】
　画像処理部３０２には、コンピュータなどのホスト機（不図示）とのデータ送受信などを行なう制御回路である制御部１１１が設けられている。そして、画像読み取り装置３０１、画像記録部３０３にも、それぞれの制御を行なう制御回路である制御部１０２、１２１が設けられている。これら制御部１０２、１１１、１２１は、マイクロプロセッサ、プログラムＲＯＭ、データメモリ、通信回路などにより構成されている。制御部１０２と制御部１１１との間、制御部１１１と制御部１２１との間は、それぞれ通信回線により接続されており、画像処理部３０２の制御部１１１の指示により、画像読み取り装置３０１および画像記録部３０３の各制御部１０２、１２１が動作を行なう、いわゆるマスタースレーブの制御形態を採用している。
　【００４６】
　画像処理部３０１には、制御部１１１のほか、ＩＥＥＥ４８８インターフェースいわゆるＧＰＩＢインターフェースなどの汎用パラレルインターフェースの制御回路であるＩ／Ｆ制御部１１２、画像に関する各種の処理を行なう多値合成部１０６、後述する画像処理手段１０７、濃度ムラ補正を行なうヘッド補正部１２３、画像データの２値化処理を行なう２値化処理部１０８、画像データを記憶するバッファメモリ１１０が設けられ、操作部２０が接続されている。この制御部１１１は、操作部２０およびコンピュータ（不図示）よりの指示に従い動作する。操作部２０は、原稿を読み取る際の色や編集に関する指定、動作の指定などの選択指示を与える。また後述の画像形成時の濃度ムラ補正の指示も行なう。また、この制御部１１１は、Ｉ／Ｆ制御部１１２の制御機能を持っており、外部のコンピュータなどとの画像データの入出力、外部装置によるリモート制御をＩ／Ｆ制御部１１２に接続されたインターフェースを介して行なうことが出来るようになっている。さらに、制御部１１１は、多値合成部１０６、画像処理手段１０７、ヘッド補正部１２３、２値化処理部１０８、バッファメモリ１１０の制御を行なう。
　【００４７】
　画像読み取り装置３０１の制御系には、制御部１０２のほか、画像読み取り装置３０１の機械部分の駆動制御を行なうメカ駆動部１０５、原稿読み取り時のランプ（不図示）の露光制御を行なう露光制御部１０３、１０４、ＣＣＤ１６が接続され画像に関する各種の処理を行なうアナログ信号処理部１００、入力された画像を処理する入力画像処理部１０１が設けられている。制御部１０２は、これら、メカ駆動部１０５、露光制御部１０３、１０４、アナログ信号処理部１００、入力画像処理部１０１の制御を行なう。
　【００４８】
　画像記録部３０３の制御系には、制御部１２１のほか、画像記録部３０３の機械部分の駆動制御を行なうメカ駆動部１２２と、各色ごとの記録ヘッド１１７〜１２０を駆動するヘッドドライバ１１６と、画像記録部３０３の機械部分の動作の時間バラツキを吸収し記録ヘッド１１７〜１２０の機構上の並びによる遅延補正を行なう同期遅延メモリ１１５が設けられている。同期遅延メモリ１１５には、記録ヘッド１１７〜１２０の駆動に必要なタイミングの生成を行なう回路も含まれている。制御部１２１は、同期遅延メモリ１１５とメカ駆動部１２２の制御を行なう。
　【００４９】
　次に、本実施例における画像処理の流れを図８を用いて説明する。
　【００５０】
　画像読み取り装置３０１において、ＣＣＤユニット１８（図６）のＣＣＤ１６上に結像された画像は、ＣＣＤ１６によりアナログ電気信号に変換される。変換されたアナログ電気信号（画像情報）は、Ｒ（赤）→Ｇ（緑）→Ｂ（青）のようにシリアルに処理されアナログ信号処理部１００に入力する。アナログ信号処理部１００では、Ｒ、Ｇ、Ｂの各色ごとにサンプル＆ホールド、ダークレベルの補正、ダイナミックレンジの制御などの処理を行なったのち、アナログ／デジタル変換（Ａ／Ｄ変換）を行ない、シリアル多値（本実施例では、各色ごとに８ビット長）のデジタル画像信号に変換して入力画像処理部１０１に出力する。入力画像処理部１０１では、ＣＣＤ補正、γ補正などの読み取り系で必要な補正処理をシリアル多値のデジタル画像信号のまま行ない、結果を原画データとして画像処理部３０２に出力する。
　【００５１】
　画像処理部３０２では、多値合成部１０６において、画像読み取り装置３０１から送られてくるシリアル多値のデジタル画像信号（原画データ）と外部のコンピュータ（不図示）からパラレルＩ／Ｆを介して送られてくるデジタル画像信号との選択、および合成処理が行なわれる。選択・合成された画像データは、シリアル多値のデジタル画像信号のまま画像処理手段１０７に送られる。画像処理手段１０７は、スムージング処理、エッジ処理、黒抽出、記録ヘッド１１７〜１２０で使用する記録インクの色補正のためのマスキング処理などを行なう回路である。シリアル多値のデジタル画像信号は、この画像処理手段１０７において上述したような処理を施される。そして、画像処理手段１０７の出力はヘッド補正部１２３とバッファメモリ１１０にそれぞれ入力する。ヘッド補正部１２３については後述するが、ヘッド補正部１２３の出力は、２値化処理部１０８に入力する。
　【００５２】
　２値化処理部１０８は、シリアル多値のデジタル画像信号を２値化するための回路であり、固定スライスレベルによる単純２値、ディザ法などによる疑似中間調処理を選択することができる。シリアル多値のデジタル画像信号は、ここで４色の２値パラレル画像信号に変換され、イメージデータとして画像記録部３０３に出力される。
　【００５３】
　画像記録部３０３では、画像処理部３０２からの２値パラレル画像信号（イメージデータ）が同期遅延メモリ１１５に入力し、この信号に基づいてヘッドドライバ１１６は、各記録ヘッド１１７〜１２０を駆動し、各記録ヘッド１１７〜１２０から、それぞれ、シアン、マゼンタ、イエロー、ブラックのインクが吐出され、布帛への画像の印刷が行なわれる。
　【００５４】
　続いて、外部のコンピュータなどとのインターフェース（Ｉ／Ｆ）について説明する。
　【００５５】
　画像読み取り装置３０１で読み取られた原稿の多値の画像データは、バッファメモリ１１０に一時的に記憶される。この画像データは、Ｉ／Ｆ制御部１１２により、同期をとりながらＧＰＩＢなどのパラレルインターフェースを介してコンピュータ（不図示）に転送される。コンピュータに転送された画像データは、ＣＲＴディスプレーなどを用いて、編集、色変換などの処理が加えられ、フレキシブルディスク、固定ディスク、光ディスクなどに画像ファイルとして記憶される。もちろん、特別な処理を行なわずに、単に記憶のみを行なってもよいことは言うまでもない。また画像読み取り装置３０１を使用せずに直接コンピュータ上で作製したコンピュータグラフィックス（ＣＧ）などの画像も、画像読み取り装置３０１で読み取った画像と同様に扱うことができる。
　【００５６】
　このようにして作製、保存された画像ファイル中の画像データは、前述と同様に、ＧＰＩＢなどのパラレルインターフェースを介してバッファメモリ１１０に転送され、次いでバッファメモリ１１０から画像多値合成部１０６、画像処理手段１０７、ヘッド補正部１２３、２値化処理部１０８、同期遅延メモリ１１５を通ってヘッドドライバ１１６に送られ、その結果、記録ヘッド１１７〜１２０によってその画像データの印刷が行なわれる。
　【００５７】
　次に、上述のヘッド補正部１２３の詳細について図９を使用して説明する。
　【００５８】
　画像記録部３０３に設けられた記録ヘッド１１７〜１２０の各ノズルは、均一になるように作られているが、微妙にノズル径が異なっていたり、ノズル近傍に付着したインクなどの影響によりごくわずかではあるが各ノズルのインク吐出方向がずれたり、吐出量が異なったりすることがある。このため、一定濃度の画像データを印字させた場合であっても、主走査方向にスジ状のムラが発生することがある。これを補正し一定濃度の印字が得られるようにするため、濃度の薄い（あるいは濃い）ノズル部分に相当する画像データの濃度をその印字濃度に応じて増加（減少）させることで結果的に印字濃度を均一にするような補正が行なわれる。ヘッド補正部１２３はこのような補正を行なう部分である。ここでは、各記録ヘッド１１７〜１２０にはそれぞれ２５６本のノズルが設けられているものとする。
　【００５９】
　ヘッド補正部１２３では、選択ＲＡＭ２６０に、Ｃ，Ｍ，Ｙ，Ｂｋのそれぞれに対応する記録ヘッド１１７〜１２０の各２５６本のノズルの濃度ムラの特性情報（後述で説明する補正用ＲＡＭ２６２に書き込まれている複数の補正用データのどれにより補正を加えるかを選択する選択情報）がＣＰＵ２５８により書き込まれる。選択ＲＡＭ２６０には、ノズルの数に対応した１０２４（＝２５６×４）ノズル分の特性情報が書き込まれるようになっている。画像入力データＶＤｉｎは、画像処理手段１０７からのシリアル多値のデジタル画像データであり、この実施例では８ビット幅であって、１画素ごとの色成分画像データ（８ビット）が、Ｙ，Ｍ，Ｃ，Ｂｋ，Ｙ，Ｍ　Ｃ，Ｂｋ，…というようにして、順次、画素の点の順にしたがって入力している。選択ＲＡＭ２６０からは、アドレスを１番地ずつ順次インクリメントすることにより、入力する画像データの順序に合わせてデータが取り出される。また、選択データを選択ＲＡＭ２６０に書き込むための双方向バッファ２６３が設けられ、さらに、ＣＰＵ２５８から出力される１６ビットのアドレスバスのアドレスのうち下位１０ビットあるいはカウンタ２５０の１０ビットの出力のいずれかを選択するセレクタ２５９が設けられている。カウンタ２５０は、外部からホールド信号ＨＳとクロックＣＬＫとが入力し、クロックＣＬＫをカウントして１０ビットのデータとして出力する。この１０ビットのデータすなわち選択ＲＡＭ２６０のアドレスとして入力するデータは、上記の１０２４個のノズルのうち特定のノズルを指定するために使用される。上述のように、画像入力データＶＤｉｎでは、１画素ごとの色成分画像データが画素の点の順にしたがって入力してくるから、画像入力データＶＤｉｎのクロックとカウンタ２５０に入力するクロックとを同期させることにより、カウンタ２５０の１０ビット幅の出力は、現在の画像入力データＶＤｉｎがどの画素に対応しているかを表わすことになる。セレクタ２５９は、選択ＲＡＭ２６０にデータを書き込む場合にはＣＰＵ２５８の出力を選択し、選択ＲＡＭ２６０からデータを読み出す場合にはカウンタ２５０の出力を選択する。なお、選択ＲＡＭ２６０の出力側には、データをラッチするためのフリップフロップ２５２が設けられている。
　【００６０】
　補正用ＲＡＭ２６２は、ＣＰＵ２５８から補正テーブルが書き込まれるためのものであり、双方向バッファ２５４を介してＣＰＵ２５８のデータバスと接続されている。補正テーブルは、例えば図１０の実線あるいは点線Ｌ１〜Ｌ５で示すようなデータからなる。ここでは、実線あるいは点線Ｌ１〜Ｌ５で表わされるような５通りのデータからなる補正テーブルが示されているが、実際には補正テーブルに含まれる補正用のデータの数はこれよりも多い。例えば、選択ＲＡＭ２６０からの出力データが８ビットであれば、２５６通りの補正データを用意することができる。セレクタ２１６は、ＣＰＵからの１６ビットのアドレス、あるいは８ビットのフリップフロップ２５２からの出力と画像データ入力ＶＤｉｎの８ビットの合計１６ビットのいずれかを選択して補正用ＲＡＭ２６２に入力させるものである。
　【００６１】
　前述の実線あるいは点線Ｌ１〜Ｌ５であらわされる補正データは、補正ＲＡＭ２６２に入力するアドレスに応じて選択される。即ちセレクタ２６１が図示Ｂ側を選択している場合には、８ビットの画像データ入力ＶＤｉｎと８ビットの選択ＲＡＭ２６０のデータ出力が、補正用ＲＡＭ２６２にアドレスＡとして入力される。この中で、８ビットの選択ＲＡＭ２６０からの出力データが、前述の実線あるいは点線Ｌ１〜Ｌ５のいずれかを選択するのに用いられる。なお、これらの実線あるいは点線Ｌ１〜Ｌ５のうち実線は等倍時用、点線はＬ１〜Ｌ５変倍時用のデータであり、等倍時と変倍時とでは記録ヘッド１１７〜１２０でそれぞれ使用されるノズルの範囲が異なるため、記録ヘッド１１７〜１２０の中での使用ノズルの範囲に応じて、ＣＰＵ２５８により点線あるいは実線いずれかの補正用のデータが補正用ＲＡＭ２６２に書き込まれる。また、補正用ＲＡＭ２６２に書き込まれる補正テーブルは、アドレス入力Ａに対する補正用データΔＡを出力するようになっており、かかる補正用データΔＡは、フリップフロップ２５４によっていったんラッチされ、加算器２５６により画像入力入力画像データＶＤｉｎと加算され、補正済データすなわち画像出力データＶＤｏｕｔとして、データラッチ用のフリップフロップ２５７を介して出力される。
　【００６２】
　つまり、各画素ごとに、選択用ＲＡＭ２６０で補正用テーブルが指定され、補正用ＲＡＭ２６２から画像入力データＶＤｉｎに対応する補正用データの値が読み出され、読み出された補正用データが加算器２５６で画像入力データＶＤｉｎに加算され、画像出力データＶＤｏｕｔとして出力されることになる。なお、加算器２５６に入力する画像入力データＶＤｉｎをラッチするためのフリップフロップ２５５が設けられている。なまた、図１０には直線で表わされる補正用データが示されているが、補正用データは、直線でなく曲線で表わされるものであってもよい。
　【００６３】
　次に、選択ＲＡＭ２６０に書き込む濃度ムラの特性情報の生成方法について、説明する。
　【００６４】
　画像処理部３０２に接続された操作部２０より濃度ムラ補正の実行を指示すると、Ｃ，Ｍ，Ｙ，Ｂｋの順に特性情報を生成していく。まず最初に、図１１に示すように、任意の濃度をもつＣ，Ｍ，Ｙ，Ｂｋそれぞれの単色のストライプ状の階調パターンを不図示のパターンジェネレータにより３ライン（１ラインは、インクジェットヘッド９で１回に記録できる幅）ずつ発生させ、画像記録部３０３によって印刷させる。パターンジェネレータは、図８に示した多値合成部１０６に含まれており、バッファメモリ１１０、入力画像処理部１０１からの画像データの代りに一定値の８ビットデータを発生するものである。発生できる濃度データは、例えば３３，５０，１００％の中から選択出来るが、ここでは５０％を使用している。当然のことであるが、このとき、ヘッド補正部１２３は補正が行なわれないように設定され、記録ヘッド１１７〜１２０の裸特性がそのままで印刷出力されるようになっている。
　【００６５】
　このように出力された濃度ムラ補正用パターンを画像読み取り装置３０１にセットし、この補正用パターンの画像読み取り領域３１２を読み取り、記録ヘッド１１７〜１２０のノズルごとにその濃度ムラの量を求め、特性情報を生成していく。Ｃ、Ｍ、Ｙ、ＢＫの順に以上の操作を全ての記録ヘッド１１７〜１２０について行ない、特性情報の生成し、選択ＲＡＭ２６０に書き込む。以上で、ヘッド補正部１２３の濃度ムラ補正データの設定が完了したことになる。これ以降の実際の画像の出力時には、この補正データにより、絶えず濃度ムラの補正がリアルタイムで行なわれ、印刷が実行されることになる。
　【００６６】
　次に、画像記録部３０３における布帛３６の搬送動作について、図２を用いて説明する。
　【００６７】
　給布部Ｃにおける記録を開始するための初期設定の作業として、まず記録前のロール状の布帛３６を巻いた巻き芯９３を回転自在にセットする。そして、図２に示すように、布帛３６の一端をベルト３７を経てローラ４１に懸架し、巻取部Ｃに回転可能に支持された芯９９に巻き付ける。ここで、記録部位から前記芯９９に巻き付けられる部分の布帛３６は、記録がなされず無駄となるため、この部分は記録すべき布帛３６を案内する専用の布帛を縫合などによって一体化させておくとよい。
　【００６８】
　続いて、布帛セット開始の信号により押圧ローラ４０がベルト３７の外周面側に押圧され、さらに駆動モータ１６３（図１２）、巻き取りモータ（図示せず）が回転を開始して、布帛３６が移送されつつベルト３７に付着させられる。この際、芯９９の巻き取り速度は、搬送ベルト３７が布帛３６を送る量より多くなるように設定されているが、芯９９と巻き取りモータとの駆動連結部にはトルクリミッタ（図示せず）が設けられており、ある一定以上のトルクが布帛３６に対し印加されず、したがって記録位置での布帛３６には負荷とならず、記録品質には影響を及ぼさない。また給布部Ｂの巻き芯９３にもブレーキ手段（不図示）が設けられており、ベルト３７により布帛３６が送られる際にバックテンションとして作動し、布帛３６にたるみを生ずることなく布帛３６がベルト３７上に接着されるようになっている。以上で布帛３６の初期設定が完了し記録動作を行なうことができる。
　【００６９】
　次に、インクジェットプリント部１の動作について、図３により説明する。
　【００７０】
　記録開始の信号により、インクジェットプリント部１が動作を開始する。まず、インクジェットヘッド９をキャッピングさせた状態で加圧回復動作を行なう。次に、ヘッド回復装置１３のキャッピング部をインクジェットヘッド９から離間させ、インクジェットヘッド９をホームポジションからスタートポジションへ移動させる。スタートポジションでいったん待機させた後、画像処理部３０２から送られる動作信号、画像信号に同期して、インクジェットヘッド９およびびインク供給装置１１がガイドレール７、８に沿って往復移動する（以下、これを主走査移動あるいは単に主走査と呼ぶ）。その際、画像信号に応じてインクジェットヘッド９内の各記録ヘッド１１７〜１２０から対向側に保持された布帛３６に向かってインクが吐出され、布帛３６上に画像が形成される。インクジェットヘッド９がガイドレール７、８上を１往復すると、画像幅（インクジェットヘッド９で１回に記録できる布帛３６の搬送方向の幅）分だけ布帛３６を搬送させ、次の主走査移動を行なう。以上の動作を繰り返した後、所定の画像記録が終了すると、インクジェットヘッド９はホームポジションまで移動してヘッド回復装置１３によりキャッピングがなされる。
　【００７１】
　上記動作を設定された長さにわたって繰り返し行ない、ロール状の布帛３６に記録を行なう。１本のロール状の布帛３６の長さは有限であるが、ロール状に巻き取られた布帛３６の最終端が巻き芯９３よりはずれる時点で、次のロール状に巻き取られた布帛の先端部と縫合することにより、連続して記録が行なえる。この際、縫合に用いる糸に有彩色のものを用い、押圧ローラ４０の上流に濃度検出センサ９８を設けておき、この濃度検出センサ９８により前記縫合部が検出されると、その縫合部がインクジェットヘッド９の直前に搬送されてきた際に上記１サイクル（インクジェットヘッド９の１回の主走査方向への動作）の記録が終了した時点で記録を一時停止するようにしておく。さらにこの後、布帛３６を前記縫合部がインクジェットヘッド９の下流側の直後の位置に到達するまで布帛３６を一定量だけ送り、再び記録が開始されるようにしておく。このようにすることにより、一般に厚みが増大している縫合部をインクジェットヘッド９が走査記録し、この際に縫合部にインクジェットヘッド９が摺擦して、布帛３６に汚れを生じたりインクジェットヘッド９が破損したりするということを防止している。
　【００７２】
　次に、画像記録部３０３において布帛３６の搬送動作の制御を行なう制御系の動作について、図１２を用いて説明する。図１２は、画像記録部３０３のインクジェットプリント部１と布帛搬送部３の回路構成を示すブロック図である。
　【００７３】
　制御部１６０は布帛搬送部３の制御を行なう制御回路である。この制御部１６０とインクジェットプリント部１の制御部１２１との間は通信回線で接続されている。この制御部１６０はモータドライバ１６２を介して駆動モータ１６３を駆動するものであり、駆動モータ１６３はベルト３７（図２）を駆動するものである。制御部１６０に接続された搬送系操作部１６１は、布帛搬送部３を外部から操作するためのものであり、記録を開始するための初期設定および記録終了後の搬送は、この搬送系操作部１６１からの指令によって行なわれる。
　【００７４】
　搬送系操作部１６１に接続された一時停止スイッチ１６４は、印字動作を一時的に中断したい場合に用いるスイッチであり、このスイッチをＯＮにすると制御部１６０から制御部１２１へ信号がおくられる。この信号を検知した制御部１２１は、このスイッチがＯＦＦになるまで印字動作を行なわないようになっている。この一時停止動作は、印字中にインク無しを検知したり、布帛をつなぎ合わせた縫合部を検知したり、といった復帰可能な異常を検出したときに行なわれる。インク無しならばインクを補給したり、縫合部があった場合ならこの縫合部がインクジェットヘッドの下流側直下に位置するまで布帛を搬送したりすることにより正常な状態に復帰したら、一時停止スイッチ１６４をＯＦＦに戻すことで印字動作が再開する。同様に、搬送系操作部１６１に接続された緊急停止スイッチ１６５は、印字動作を即座に中止したい場合に用いるスイッチであり、このスイッチをＯＮにすると制御部１６０から制御部１２１へ信号が送られる。この信号を検知した制御部１２１は、インクジェットヘッド９（図２）の走査を直ちに中止し、印字動作を終了する。ここで、一時停止スイッチ１６４や緊急停止スイッチ１６５を設ける代わりに、インク無しなどの異常検知信号を直接、制御部１２１へ通信するようにしてもよい。
　【００７５】
　記録中の布帛３６の搬送は、インクジェットプリント部１側の制御部１２１からの信号に応じて行なわれる。図１３に、これら両方の制御部１２１と制御部１６０との間の、搬送に関する通信のタイミングチャートを示されている。布帛搬送指示信号は、インクジェットプリント部１側の制御部１２１から布帛搬送部３の制御部１６０へ送られる信号であり、通常時にはＬＯＷであり、インクジェットヘッド９により１ライン分の印字が終了するとＨＩＧＨになる。布帛搬送部３の制御部１６０は、布帛搬送指示信号がＨＩＧＨになると搬送モータ１６３を駆動し、布帛３６の搬送を開始する。布帛搬送中信号は、布帛搬送部３の制御部１６０からインクジェットプリント部１の制御部１２１へ送られる信号であり、通常時にはＬＯＷであって、布帛３６の搬送中にはＨＩＧＨになる。インクジェットプリント部１の制御部１２１は、布帛搬送中信号がＨＩＧＨになったことを検知すると、布帛搬送指示信号が受けつけられたと判定して、布帛搬送指示信号をＬＯＷにする。
　【００７６】
　布帛搬送指示信号をＨＩＧＨにして一定時間経過しても布帛搬送中信号がＨＩＧＨにならない、あるいは、一度ＨＩＧＨになった布帛搬送中信号が一定時間経過してもＬＯＷにならないときには、画像記録部３０３の制御部１２１は、布帛搬送部３に異常が発生したと判断し、記録動作を中断し、画像処理部３０２に接続された操作部２０に異常表示をする。このように布帛搬送指示信号と布帛搬送中信号とを相互に交換することにより、インクジェットヘッド９による記録・印刷と布帛３６の搬送とが、交互に行なわれるようになる。
　【００７７】
　以上説明したように本実施例では、原画像を画像読み取り装置３０１で読み取ることによって得られた画像信号が画像処理部３０２で処理され、画像処理部３０２の処理結果によって画像記録部３０３において布帛３６にインクジェット記録が行なわれ、布帛３６への捺染が行なわれることになる。
　【００７８】
　本実施例のインクジェット記録装置では、第１および第２のプリント部３１，３１’を用いて、重ねプリントがなされる。ここで、この重ねプリント動作について詳しく説明する。図６は、重ねプリントのためのシーケンシャル・マルチスキャンにより記録される記録データを説明する図である。
　【００７９】
　図１４において、点線で囲まれた各矩形領域が１ドット（画素）に対応し、例えば記録密度が４００ｄｐｉ（ドット／インチ）の場合は、各矩形は約６３．５μｍ四方であって、その面積は約４０００μｍ２となる。黒い丸で示された部分がドットが打たれた場所で、黒丸が存在していない箇所が記録が行われない部分を示している。インクジェットヘッド９が図示矢印Ｆ方向に移動し、インクジェットヘッド９のインク吐出用ノズル９’より所定のタイミングでインクが吐出される。このシーケンシャル・マルチスキャンは、各ノズル９’の吐出するインク滴の大きさのばらつきや、インク吐出方向のばらつきによって生ずる各ノズル間の濃度ばらつきを補正するために行われ、同一のライン（ヘッド移動方向）を複数のノズルで記録する。このように複数個のノズルで１つのラインを形成することにより、各インクジェットヘッド９のノズル特性のランダム性を利用し、濃度ムラの低減を図っている。すなわち、２度スキャンによるシーケンシャル・マルチスキャンの場合、１回目の走査でインクジェットヘッド９の上半分を用いて記録を行い、２回目の走査ではインクジェットヘッド９の下半分のノズルを用いて記録を行う。
　【００８０】
　このシーケンシャル・マルチスキャンによる記録をする例を示したのが図１５と図１６である。
　【００８１】
　いま、例えば図１４に示したデータを記録する場合には、まず図１５に示すように、インクジェットヘッド９の移動方向に発生するデータの奇数番目の記録データのみを、インクジェットヘッド９の上半分のノズルで記録する。次に、インクジェットヘッド（キャリッジ）がホーム位置方向に戻され、布帛３６がインクジェットヘッド９の巾の半分だけ送られて、図１６に示すように今度はインクジェットヘッド９の移動方法の偶数番目のドットをインクジェットヘッドの下半分のノズルを用いて記録する。こうして２度のスキャンにより図１４に示すようなデータが布帛３６上に記録される。
　【００８２】
　図１７は通常の２回マルチスキャンでの印刷例を示している。第１のプリント部３１のインクジェットヘッドで印刷したエリア（下１）７０１、（下２）７０２、（下３）７０３で示し、第２のプリント部３１′のインクジェットヘッドで印刷したエリアを（上１）７０４、（上２）７０５、（上３）７０６で示す。
　【００８３】
　布送り方向は図示矢印の通りであり、布３６の１回のステップ送り量は、インクジェットヘッドの記録巾に対応している。図１７（ａ）から明らかなように記録された領域での全ては、第２のプリント部３１′のインクジェットヘッドの上半分と第１のプリント部３１のインクジェットヘッドの下半分か、第２のプリント部３１′のインクジェットヘッドの下半分と第１のプリント部３１のインクジェットヘッドの上半分とを用いて記録されている。ここで、各インクジェットヘッドで記録されるデータは、前述の図１５及び図１６に示すように間引かれており、これら２つのインクジェットヘッドで重ね合わせて記録された結果、図１７（ｂ）の７０７で示す印刷濃度が得られる。
　【００８４】
　次に、インクジェット捺染記録の具体例を説明する。先に説明したように図２は捺染に好適な実施例の構成を示す図である。図２に示すように、インクジェット印捺工程を経た後、乾燥（自然乾燥を含む）させる。そして、引き続き布帛繊維上の染料を拡散させ、かつ繊維への染料を反応定着させる工程を施す。この工程により、充分な発色性と染料の固着による堅牢性を得ることができる。
　【００８５】
　この拡散、反応定着工程は従来公知の方法でよく、例えば、スチーミング法が挙げられる。なお、この場合、印捺工程の前に、予め布帛にアルカリ処理を施してもよい。
　【００８６】
　その後、後処理工程において、未反応の染料の除去及び前処理に用いた物質の除去が行われる。最後に、欠陥補正、アイロン仕上げ等の整理仕上げ工程を経て記録が完成する。
　【００８７】
　記録媒体としては、布帛、壁紙、紙、ＯＨＰ用フィルム等が挙げられる。特に布帛、壁紙のような低吸水性の記録媒体に対して本発明は好適である。
　【００８８】
　なお、本発明において、布帛とは、素材、織り方、編み方を問わず、あらゆる織物、不織布、及びその他の布地を含む。
　【００８９】
　また、本発明において、壁紙とは、紙、布帛、ポリ塩化ビニル等の合成樹脂シートを素材とする壁用貼付材を含む。
　【００９０】
　特に、インクジェット捺染用布帛としては、
　（１）インクを充分な濃度に発色させ得ること、
　（２）インクの染着率が高いこと、
　（３）インクが布帛上で速やかに乾燥すること、
　（４）布帛上での不規則なインクの滲みの発生が少ないこと、
　（５）装置内での搬送性に優れていること、
等の性能が要求される。これらの要求性能を満足させるために、必要に応じて布帛に対し、予め前処理を施しておくことができる。例えば、特開昭６２−５３４９２号公報においてインク受容層を有する布帛類が開示され、また、特公平３−４６５８９号公報においては還元防止剤やアルカリ物質を含有させた布帛の提案がなされている。このような前処理の例としては、布帛に、アルカリ性物質、水溶性高分子、合成高分子、水溶性金属塩、尿素及びチオ尿素から選ばれる物質を含有させる処理を挙げることができる。
　【００９１】
　アルカリ性物質としては、例えば、水酸化ナトリウム、水酸化カリウム等の水酸化アルカリ金属、モノ，ジ，トリエタノールアミン等のアミン類、炭酸ナトリウム、炭酸カリウム、炭酸水素ナトリウム等の炭酸もしくは重炭酸アルカリ金属塩等が挙げられる。さらに酢酸カルシウム、酢酸バリウム等の有機酸金属塩やアンモニア及びアンモニア化合物等がある。また、スチーミング及び乾熱下でアルカリ物質となるトリクロロ酢酸ナトリウム等も用い得る。特に好ましいアルカリ性物質としては、反応性染料の染色に用いられる炭酸ナトリウム及び炭酸水素ナトリウムがある。
　【００９２】
　水溶性高分子としては、トウモロコシ、小麦等のデンプン物質、カルボキシメチルセルロース、メチルセルロース、ヒドロキシエチルセルロース等のセルロース系物質、アルギン酸ナトリウム、アラビアゴム、ローカスイトビーンガム、トラガントガム、グアガム、タマリンド種子等の多糖類、ゼラチン、カゼイン等の蛋白質物質、タンニン系物質、リグニン系物質等の天然水溶性高分子が挙げられる。
　【００９３】
　また、合成高分子としては、例えば、ポリビニルアルコール系化合物、ポリエチレンオキサイド系化合物、アクリル酸系水溶性高分子、無水マレイン酸系水溶性高分子等が挙げられる。これらの中でも多糖類系高分子やセルロース系高分子が好ましい。
　【００９４】
　水溶性金属塩としては、例えば、アルカリ金属、アルカリ土類金属のハロゲン化物のように、典型的なイオン結晶を作るものであって、ｐＨ４〜１０である化合物が挙げられる。かかる化合物の代表的な例としては、例えば、アルカリ金属では、ＮａＣｌ，Ｎａ２ＳＯ４，ＫＣｌ及びＣＨ３ＣＯＯＮａ等が挙げられ、また、アルカリ土類金属としては、ＣａＣｌ２及びＭｇＣｌ２等が挙げられる。中でもＮａ，Ｋ及びＣａの塩類が好ましい。
　【００９５】
　前処理において上記物質等を布帛に含有させる方法は、特に制限されないが、通常行われる浸漬法、パッド法、コーティング法、スプレー法等を挙げることができる。
　【００９６】
　さらに、インクジェット捺染用布帛に付与される捺染インクは、布帛上に付与した状態では単に付着しているに過ぎないので、引き続き繊維への染料の反応定着工程（染着工程）を施すのが好ましい。このような反応定着工程は、従来公知の方法でよく、例えば、スチーミング法、ＨＴスチーミング法、サーモフィックス法、予めアルカリ処理した布帛を用いない場合は、アルカリパッドスチーム法、アルカリブロッチスチーム法、アルカリショック法、アルカリコールドフィックス法等が挙げられる。
　【００９７】
　さらに未反応の染料の除去及び前処理に用いた物質の除去は、上記反応定着工程の後に従来公知の方法に準じ、洗浄により行うことができる。なお、この洗浄の際に従来フィックス処理を併用することが好ましい。
　【００９８】
　なお以上述べた後処理工程が施された記録物は、その後所望の大きさに切り離され、切り離された片は縫着、接着、溶着等、最終的な加工品を得るための工程が施され、ワンピース、ドレス、ネクタイ、水着等の衣類や布団カバー、ソファカバー、ハンカチ、カーテン等が得られる。布帛を縫製等により加工して衣類やその他の日用品とする方法は、例えば「最新ニット縫製マニュアル」：センイジャーナル社発行や月刊誌「装苑」：文化出版局発行等、公知の書籍に多数記載されている。
　【００９９】
　本発明は、特にインクジェット記録方式の中でも熱エネルギーを利用して飛翔的液滴を形成し、記録を行うインクジェット方式の記録ヘッド、記録装置において優れた効果をもたらすものである。
　【０１００】
　その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも一つの駆動信号を印加することによって、電気熱変換体に熱エネルギーを発生せしめ、記録ヘッドの熱作用面に膜沸騰を生じさせて、結果的にこの駆動信号に一対一で対応した液体（インク）内の気泡を形成できるので有効である。この気泡の成長、収縮により吐出用開口を介して液体（インク）を吐出させて、少なくとも一つの滴を形成する。この駆動信号をパルス形状とすると、即時適切に気泡の成長収縮が行われるので、特に応答性に優れた液体（インク）の吐出が達成でき、より好ましい。
　【０１０１】
　このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
　【０１０２】
　記録ヘッドの構成としては、上述の各明細書に開示されているような吐出口、液路、電気熱変換体の組み合わせ構成（直線状液流路または直角液流路）の他に、熱作用部が屈曲する領域に配置されている構成を開示する米国特許第４５５８３３３号明細書、米国特許第４４５９６００号明細書を用いた構成も本発明に含まれるものである。
　【０１０３】
　加えて、複数の電気熱変換体に対して、共通するスリットを電気熱変換体の吐出部とする構成を開示する特開昭５９−１２３６７０号公報や熱エネルギーの圧力波を吸収する開孔を吐出部に対応させる構成を開示する特開昭５９−１３８４６１号公報に基づいた構成としても本発明は有効である。
　【０１０４】
　さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよいが、本発明は、上述した効果を一層有効に発揮することができる。
　【０１０５】
　加えて、装置本体に装着されることで、装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いた場合にも本発明は有効である。
　【０１０６】
　また、本発明の記録装置の構成として設けられる、記録ヘッドに対しての回復手段、予備的な補助手段等を付加することは本発明の効果を一層安定できるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段、記録とは別の吐出を行う予備吐出モードを行うことも安定した記録を行うために有効である。
　【０１０７】
　さらに、記録装置の記録モードとしては黒色等の主流色のみを記録モードだけではなく、記録ヘッドを一体的に構成するか複数個を組み合わせによってでもよいが、異なる色の複色カラー、または混色によるフルカラーの少なくとも一つを備えた装置にも本発明は極めて有効である。
　【０１０８】
　以上説明した本発明実施例においては、インクを液体として説明しているが、室温やそれ以下で固化するインクであって、室温で軟化するもの、もしくは液体であるもの、あるいは上述のインクジェット方式ではインク自体を３０℃以上７０℃以下の範囲内で温度調整を行ってインクの粘性を安定吐出範囲にあるように温度制御するものが一般的であるから、使用記録信号付与時にインクが液状をなすものであればよい。
　【０１０９】
　加えて、積極的に熱エネルギーによる昇温をインクの固形状態から液体状態への状態変化のエネルギーとして使用せしめることで防止するか、またはインクの蒸発防止を目的として放置状態で固化するインクを用いるかして、いずれにしても熱エネルギーの記録信号に応じた付与によってインクが液化し、液状インクとして吐出するものや、記録媒体に到達する時点では既に固化し始めるもの等のような、熱エネルギーによって初めて液化する性質のインクの使用も本発明には適用可能である。このような場合インクは、特開昭５４−５６８４７号公報あるいは特開昭６０−７１２６０号公報に記載されるような、多孔質シート凹部または貫通孔に液状または固形物として保持された状態で、電気熱変換体に対して対向するような形態としてもよい。本発明においては、上述した各インクに対して最も有効なものは、上述した膜沸騰方式を実行するものである。
　【０１１０】
　さらに加えて、本発明に係る記録装置の形態としては、ワードプロセッサやコンピュータ等の情報処理機器の画像出力端末として一体または別体に設けられるものの他、リーダ等と組み合わせた複写装置、さらには送受信機能を有するファクシミリ装置の形態を採るものであっても良い。
　【０１１１】
　【発明の効果】
　以上説明したように本発明は、インクジェット記録を用いて、直接、記録媒体上に画像形成を行なうことにより、以下のような効果を有する。
　【０１１２】
　（１）シルクスクリーン版のような捺染用の版を必要としないので、▲１▼原画像から記録に至る工程、工数が大幅に削減でき、▲２▼画像に対応した多数の色のインクの調合を必要とせず、▲３▼小ロット生産に対応でき、▲４▼記録情報の保存が容易であって、▲５▼装置が小型で設置スペースが小さくてすみ、▲６▼原画像に対するレイアウトの変更、配色変え、拡大、縮小等の加工が容易である。
　【０１１３】
　（２）インクジェット記録を用いるので、画像の表現力が増し、▲１▼高精細であって、▲２▼色の再現性に優れる。
【図面の簡単な説明】
　【図１】
　本発明の一実施例のインクジェット記録装置の構成を示すブロック図である。
　【図２】
　画像記録部の構成を示す断面図である。
　【図３】
　インクジェットプリント部の構成の詳細を示す斜視図である。
　【図４】
　インクジェットプリント部と本体部との位置関係を示す上面図である。
　【図５】
　インクジェット記録部付近の構成を示す図である。
　【図６】
　画像読み取り装置の構成を示す平面図である。
　【図７】
　画像読み取り装置での画像読み取り動作を説明する図である。
　【図８】
　図１の装置における制御系の構成を示すブロック図である。
　【図９】
　ヘッド補正部の構成を示すブロック図である。
　【図１０】
　ヘッド補正用に用いられる補正テーブルを説明する図である。
　【図１１】
　濃度ムラ補正の方法を説明する図である。
　【図１２】
　インクジェット記録部と布帛搬送部の回路構成を示すブロック図である。
　【図１３】
　制御部における各信号の相互の関係を示すタイミングチャートである。
　【図１４】
　シーケンシャル・マルチスキャンによる記録を説明する図である。
　【図１５】
　シーケンシャル・マルチスキャンによる記録を説明する図である。
　【図１６】
　シーケンシャル・マルチスキャンによる記録を説明する図である。
　【図１７】
　シーケンシャル・マルチスキャンによる記録例を示す図である。
　【符号の説明】
　　１　　インクジェットプリント部
　　３　　布帛搬送部
　　４　　チューブ
　　５　　電装系
　　９　　インクジェットヘッド
　１１　　インク供給装置
　１３　　ヘッド回復装置
　１５　　レンズ
　１６　　ＣＣＤ
　１７　　原稿台ガラス
　１８　　ＣＣＤユニット
　２０　　操作部
　３０　　供給ダクト
　３１　　第１プリント部
　３１’　第２プリント部
　３３　　吸引ダクト
　３４　　加熱プレート
　３５　　温風ダクト
　３６　　布帛
　３７　　ベルト
　３８　　吹出し口
　３９　　吸引口
　４０　　押付けローラ
　４４　　第１キャリッジ
　４４’　第２キャリッジ
　４５　　乾燥部
　４７　　駆動ローラ
　４９　　巻回ローラ
　５０　　主走査モータ
　５４　　主方向レール
　６０　　副走査モータ
　６５，６９　　副方向レール
　９８　　濃度検出センサ
１００　　アナログ信号処理部
１０１　　入力画像処理部
１０２，１１１，１２１　　制御部
１０３，１０４　　露光制御部
１０５，１２２　　メカ駆動部
１０６　　多値合成部
１０７　　画像処理手段
１０８　　２値化処理部
１１０　　バッファメモリ
１１２　　Ｉ／Ｆ制御部
１１５　　同期遅延メモリ
１１６　　ヘッドドライバ
１１７〜１２０　　記録ヘッド
１２３　　ヘッド補正部
１６０　　制御部
１６１　　搬送系操作部
１６２　　モータドライバ
１６３　　駆動モータ
１６４　　一時停止スイッチ
１６５　　緊急停止スイッチ
２５８　　ＣＰＵ
２５９　　セレクタ
２６０　　選択ＲＡＭ
２６２　　補正用ＲＡＭ
２６３　　双方向バッファ
３０１　　画像読み取り装置
３０２　　画像処理部
３０３　　画像記録部
３１２　　画像読み取り領域
　　Ａ　　本体部
Ａ−１　　精密送り部
Ａ−２　　インクジェット記録部
　　Ｂ　　給布部
　　Ｃ　　巻取部